【手続補正書】
【提出日】平成24年5月21日(2012.5.21)
【手続補正１】
【補正対象書類名】特許請求の範囲
【補正対象項目名】全文
【補正方法】変更
【補正の内容】
【特許請求の範囲】
【請求項１】
プリンタドライバで生成された印刷データを蓄積する蓄積用の情報処理装置と、前記印刷データの印刷データ識別情報を含む書誌情報を記憶し、画像形成装置からの要求に従って、要求のあった画像形成装置に当該書誌情報の一覧を送信する管理用の情報処理装置と、前記書誌情報の一覧からユーザが指定することによって当該指定された書誌情報に対応する印刷データを印刷する画像形成装置を含む印刷制御システムであって、
前記管理用の情報処理装置は、
前記画像形成装置に書誌情報の一覧を送信する書誌情報送信手段と、
前記書誌情報送信手段で送信された書誌情報の一覧からユーザに指定された書誌情報の印刷データ識別情報を含む表示要求を前記画像形成装置から受信する表示要求受信手段と、
前記表示要求受信手段で受信した表示要求に含まれる印刷データ識別情報に対応する印刷データの画像データを前記画像形成装置の蓄積用の領域に記憶させるべく、前記蓄積用の情報処理装置に前記印刷データ識別情報に対応する印刷データの出力指示する出力指示手段とを備え、
前記蓄積用の情報処理装置は、
前記印刷データ識別情報に対応する印刷データを用いて画像データに変換され、前記画像データが前記画像形成装置の蓄積用の領域に記憶されるように、前記出力指示に従って前記印刷データを出力する出力手段とを備え、
前記画像形成装置は、
前記書誌情報の一覧を受信する書誌情報受信手段と、
前記書誌情報受信手段で受信した書誌情報の一覧からユーザに指定された書誌情報の印刷データ識別情報を含む表示要求を前記管理用の情報処理装置へ送信する表示要求送信手段と、
前記表示要求送信手段で送信した表示要求に含まれる印刷データ識別情報に対応する印刷データであって、前記出力手段により出力された印刷データを用いて変換された画像データを当該画像形成装置の蓄積用の領域に記憶する記憶手段と、
前記記憶手段で記憶した画像データを表示する表示手段と
を備えることを特徴とする印刷制御システム。
【請求項２】
前記画像形成装置は、
前記書誌情報受信手段で受信した書誌情報の一覧からユーザに指定された書誌情報の印刷データ識別情報に対応する印刷データを印刷するべく印刷指示する印刷指示手段と、
前記印刷指示手段で印刷指示された印刷データ識別情報に対応する印刷データの画像データが当該画像形成装置の蓄積用の領域に記憶されているか否かを判定する記憶判定手段と、
前記記憶判定手段で前記画像データが記憶されていると判定される場合に、前記記憶手段で記憶された画像データを印刷するべく当該画像形成装置に出力要求する出力要求手段と、
前記記憶判定手段で前記画像データが記憶されていないと判定される場合に、前記ユーザに指定された書誌情報の印刷データ識別情報を含む印刷要求を前記管理用の情報処理装置に送信する印刷要求送信手段と、
前記管理用の情報処理装置は、
前記印刷データ識別情報を含む印刷要求を受信する印刷要求受信手段を更に備え、
前記出力指示手段は、前記印刷要求受信手段で受信した印刷要求に含まれる印刷データ識別情報に対応する印刷データの画像データが前記画像形成装置の蓄積用の領域に記憶されないように、前記蓄積用の情報処理装置に前記印刷データ識別情報に対応する印刷データの出力指示する
を備えることを特徴とする請求項１に記載の印刷制御システム。
【請求項３】
前記画像形成装置は、
前記記憶手段で画像データを記憶した場合、前記画像データが記憶手段に記憶されているか否かを特定する特定情報を前記ユーザに指定された書誌情報と対応付ける対応付手段とを更に備え、
前記記憶判定手段は、前記ユーザに指定された書誌情報に特定情報が含まれているか否かを判定することを特徴とする請求項２に記載の印刷制御システム。
【請求項４】
前記画像形成装置は、
前記ユーザに指定された書誌情報に含まれる印刷データ識別情報を記憶する印刷データ識別情報記憶手段とを更に備え、
前記印刷データ識別情報記憶手段は、前記書誌情報の一覧でプレビュー指示がされ、前記表示手段で印刷指示がなされた印刷データの印刷データ識別情報と、前記書誌情報の一覧でユーザに指定された書誌情報の印刷データ識別情報とを記憶し、
前記出力要求手段及び前記印刷要求送信手段は、前記印刷データ識別情報記憶手段で記憶した印刷データ識別情報に従って要求することを特徴とする請求項２または３に記載の印刷制御システム。
【請求項５】
前記画像形成装置は、
前記出力要求手段で当該画像形成装置に出力要求したのち、出力要求した印刷データを印刷済みとするべく、出力要求した画像データに対応する印刷データ識別情報を前記管理用の情報処理装置に送信する印刷済送信手段と
を更に備えることを特徴とする請求項１乃至４のいずれか１項に記載の印刷制御システム。
【請求項６】
前記管理用の情報処理装置と、前記蓄積用の情報処理装置は、別筺体または同一筺体であることを特徴とする請求項１乃至５のいずれか１項に記載の印刷制御システム。
【請求項７】
プリンタドライバで生成された印刷データを蓄積する蓄積用の情報処理装置と、前記印刷データの印刷データ識別情報を含む書誌情報を記憶し、画像形成装置からの要求に従って、要求のあった画像形成装置に当該書誌情報の一覧を送信する管理用の情報処理装置と、ネットワークを介して通信可能な、前記書誌情報の一覧からユーザが指定することによって当該指定された書誌情報に対応する印刷データを印刷する画像形成装置であって、
前記蓄積用の情報処理装置で蓄積されている印刷データの印刷データ識別情報を含む書誌情報の一覧を前記管理用の情報処理装置から受信する書誌情報受信手段と、
前記書誌情報受信手段で受信した書誌情報の一覧からユーザに指定された書誌情報の印刷データ識別情報を含む表示要求を前記管理用の情報処理装置へ送信する表示要求送信手段と、
前記表示要求送信手段で送信した表示要求に含まれる印刷データ識別情報に対応する印刷データであって、前記蓄積用の情報処理装置で出力された印刷データを用いて変換された画像データを当該画像形成装置の蓄積用の領域に記憶する記憶手段と、
前記記憶手段で記憶した画像データを表示する表示手段と
を備えることを特徴とする画像形成装置。
【請求項８】
プリンタドライバで生成された印刷データを蓄積する蓄積用の情報処理装置と、前記蓄積された印刷データの印刷データ識別情報を含む書誌情報の一覧からユーザが指定することによって当該指定された書誌情報に対応する印刷データを印刷する画像形成装置とネットワークを介して通信可能な、前記印刷データの印刷データ識別情報を含む書誌情報を記憶し、画像形成装置からの要求に従って、要求のあった画像形成装置に当該書誌情報の一覧を送信する管理用の情報処理装置であって、
前記画像形成装置に印刷データ識別情報を含む書誌情報の一覧を送信する書誌情報送信手段と、
前記書誌情報送信手段で送信された書誌情報の一覧からユーザに指定された書誌情報の印刷データ識別情報を含む表示要求を前記画像形成装置から受信する表示要求受信手段と、
前記表示要求受信手段で受信した表示要求に含まれる印刷データ識別情報に対応する印刷データの画像データを前記画像形成装置の蓄積用の領域に記憶させるべく、前記蓄積用の情報処理装置に前記印刷データ識別情報に対応する印刷データの出力指示する出力指示手段と
を備えることを特徴とする管理用の情報処理装置。
【請求項９】
プリンタドライバで生成された印刷データを蓄積する蓄積用の情報処理装置と、前記印刷データの印刷データ識別情報を含む書誌情報を記憶し、画像形成装置からの要求に従って、要求のあった画像形成装置に当該書誌情報の一覧を送信する管理用の情報処理装置と、前記書誌情報の一覧からユーザが指定することによって当該指定された書誌情報に対応する印刷データを印刷する画像形成装置を含む印刷制御システムの処理方法であって、
前記管理用の情報処理装置が、
前記画像形成装置に書誌情報の一覧を送信する書誌情報送信ステップと、
前記書誌情報送信ステップで送信された書誌情報の一覧からユーザに指定された書誌情報の印刷データ識別情報を含む表示要求を前記画像形成装置から受信する表示要求受信ステップと、
前記表示要求受信ステップで受信した表示要求に含まれる印刷データ識別情報に対応する印刷データの画像データを前記画像形成装置の蓄積用の領域に記憶させるべく、前記蓄積用の情報処理装置に前記印刷データ識別情報に対応する印刷データの出力指示する出力指示ステップとを実行し、
前記蓄積用の情報処理装置が、
前記印刷データ識別情報に対応する印刷データを用いて画像データに変換され、前記画像データが前記画像形成装置の蓄積用の領域に記憶されるように、前記出力指示に従って前記印刷データを出力する出力ステップとを実行し、
前記画像形成装置が、
前記書誌情報の一覧を受信する書誌情報受信ステップと、
前記書誌情報受信ステップで受信した書誌情報の一覧からユーザに指定された書誌情報の印刷データ識別情報を含む表示要求を前記管理用の情報処理装置へ送信する表示要求送信ステップと、
前記表示要求送信ステップで送信した表示要求に含まれる印刷データ識別情報に対応する印刷データであって、前記出力ステップにより出力された印刷データを用いて変換された画像データを当該画像形成装置の蓄積用の領域に記憶する記憶ステップと、
前記記憶ステップで記憶した画像データを表示する表示ステップと
を実行することを特徴とする処理方法。
【請求項１０】
プリンタドライバで生成された印刷データを蓄積する蓄積用の情報処理装置と、前記印刷データの印刷データ識別情報を含む書誌情報を記憶し、画像形成装置からの要求に従って、要求のあった画像形成装置に当該書誌情報の一覧を送信する管理用の情報処理装置と、ネットワークを介して通信可能な、前記書誌情報の一覧からユーザが指定することによって当該指定された書誌情報に対応する印刷データを印刷する画像形成装置の処理方法であって、
前記画像形成装置が
前記蓄積用の情報処理装置で蓄積されている印刷データの印刷データ識別情報を含む書誌情報の一覧を前記管理用の情報処理装置から受信する書誌情報受信ステップと、
前記書誌情報受信ステップで受信した書誌情報の一覧からユーザに指定された書誌情報の印刷データ識別情報を含む表示要求を前記管理用の情報処理装置へ送信する表示要求送信ステップと、
前記表示要求送信ステップで送信した表示要求に含まれる印刷データ識別情報に対応する印刷データであって、前記蓄積用の情報処理装置で出力された印刷データを用いて変換された画像データを当該画像形成装置の蓄積用の領域に記憶する記憶ステップと、
前記記憶ステップで記憶した画像データを表示する表示ステップと
を実行することを特徴とする処理方法。
【請求項１１】
プリンタドライバで生成された印刷データを蓄積する蓄積用の情報処理装置と、前記蓄積された印刷データの印刷データ識別情報を含む書誌情報の一覧からユーザが指定することによって当該指定された書誌情報に対応する印刷データを印刷する画像形成装置とネットワークを介して通信可能な、前記印刷データの印刷データ識別情報を含む書誌情報を記憶し、画像形成装置からの要求に従って、要求のあった画像形成装置に当該書誌情報の一覧を送信する管理用の情報処理装置の処理方法であって、
前記管理用の情報処理装置が
前記画像形成装置に印刷データ識別情報を含む書誌情報の一覧を送信する書誌情報送信ステップと、
前記書誌情報送信ステップで送信された書誌情報の一覧からユーザに指定された書誌情報の印刷データ識別情報を含む表示要求を前記画像形成装置から受信する表示要求受信ステップと、
前記表示要求受信ステップで受信した表示要求に含まれる印刷データ識別情報に対応する印刷データの画像データを前記画像形成装置の蓄積用の領域に記憶させるべく、前記蓄積用の情報処理装置に前記印刷データ識別情報に対応する印刷データの出力指示する出力指示ステップと
を実行することを特徴とする処理方法。
【請求項１２】
プリンタドライバで生成された印刷データを蓄積する蓄積用の情報処理装置と、前記印刷データの印刷データ識別情報を含む書誌情報を記憶し、画像形成装置からの要求に従って、要求のあった画像形成装置に当該書誌情報の一覧を送信する管理用の情報処理装置と、前記書誌情報の一覧からユーザが指定することによって当該指定された書誌情報に対応する印刷データを印刷する画像形成装置を含む印刷制御システムのプログラムであって、
前記管理用の情報処理装置を、
前記画像形成装置に書誌情報の一覧を送信する書誌情報送信手段と、
前記書誌情報送信手段で送信された書誌情報の一覧からユーザに指定された書誌情報の印刷データ識別情報を含む表示要求を前記画像形成装置から受信する表示要求受信手段と、
前記表示要求受信手段で受信した表示要求に含まれる印刷データ識別情報に対応する印刷データの画像データを前記画像形成装置の蓄積用の領域に記憶させるべく、前記蓄積用の情報処理装置に前記印刷データ識別情報に対応する印刷データの出力指示する出力指示手段として機能させ、
前記蓄積用の情報処理装置を、
前記印刷データ識別情報に対応する印刷データを用いて画像データに変換され、前記画像データが前記画像形成装置の蓄積用の領域に記憶されるように、前記出力指示に従って前記印刷データを出力する出力手段として機能させ、
前記画像形成装置を、
前記書誌情報の一覧を受信する書誌情報受信手段と、
前記書誌情報受信手段で受信した書誌情報の一覧からユーザに指定された書誌情報の印刷データ識別情報を含む表示要求を前記管理用の情報処理装置へ送信する表示要求送信手段と、
前記表示要求送信手段で送信した表示要求に含まれる印刷データ識別情報に対応する印刷データであって、前記出力手段により出力された印刷データを用いて変換された画像データを当該画像形成装置の蓄積用の領域に記憶する記憶手段と、
前記記憶手段で記憶した画像データを表示する表示手段と
して機能させることを特徴とするプログラム。
【請求項１３】
プリンタドライバで生成された印刷データを蓄積する蓄積用の情報処理装置と、前記印刷データの印刷データ識別情報を含む書誌情報を記憶し、画像形成装置からの要求に従って、要求のあった画像形成装置に当該書誌情報の一覧を送信する管理用の情報処理装置と、ネットワークを介して通信可能な、前記書誌情報の一覧からユーザが指定することによって当該指定された書誌情報に対応する印刷データを印刷する画像形成装置のプログラムであって、
前記画像形成装置を、
前記蓄積用の情報処理装置で蓄積されている印刷データの印刷データ識別情報を含む書誌情報の一覧を前記管理用の情報処理装置から受信する書誌情報受信手段と、
前記書誌情報受信手段で受信した書誌情報の一覧からユーザに指定された書誌情報の印刷データ識別情報を含む表示要求を前記管理用の情報処理装置へ送信する表示要求送信手段と、
前記表示要求送信手段で送信した表示要求に含まれる印刷データ識別情報に対応する印刷データであって、前記蓄積用の情報処理装置で出力された印刷データを用いて変換された画像データを当該画像形成装置の蓄積用の領域に記憶する記憶手段と、
前記記憶手段で記憶した画像データを表示する表示手段と
して機能させることを特徴とするプログラム。
【請求項１４】
プリンタドライバで生成された印刷データを蓄積する蓄積用の情報処理装置と、前記蓄積された印刷データの印刷データ識別情報を含む書誌情報の一覧からユーザが指定することによって当該指定された書誌情報に対応する印刷データを印刷する画像形成装置とネットワークを介して通信可能な、前記印刷データの印刷データ識別情報を含む書誌情報を記憶し、画像形成装置からの要求に従って、要求のあった画像形成装置に当該書誌情報の一覧を送信する管理用の情報処理装置のプログラムであって、
前記管理用の情報処理装置を、
前記画像形成装置に印刷データ識別情報を含む書誌情報の一覧を送信する書誌情報送信手段と、
前記書誌情報送信手段で送信された書誌情報の一覧からユーザに指定された書誌情報の印刷データ識別情報を含む表示要求を前記画像形成装置から受信する表示要求受信手段と、
前記表示要求受信手段で受信した表示要求に含まれる印刷データ識別情報に対応する印刷データの画像データを前記画像形成装置の蓄積用の領域に記憶させるべく、前記蓄積用の情報処理装置に前記印刷データ識別情報に対応する印刷データの出力指示する出力指示手段と
して機能させることを特徴とするプログラム。
【手続補正２】
【補正対象書類名】明細書
【補正対象項目名】発明の名称
【補正方法】変更
【補正の内容】
【発明の名称】印刷制御システム、画像形成装置、管理用の情報処理装置と、その処理方法およびプログラム。
【手続補正３】
【補正対象書類名】明細書
【補正対象項目名】０００１
【補正方法】変更
【補正の内容】
【０００１】
本発明は、印刷データを管理する管理用の情報処理装置と、当該管理用の情報処理装置が管理する印刷データを印刷することが可能な画像形成装置を含む印刷制御システムに関する。
【手続補正４】
【補正対象書類名】明細書
【補正対象項目名】０００８
【補正方法】変更
【補正の内容】
【０００８】
そこで、本発明の目的は、蓄積されているプリンタドライバで生成された印刷データを、画像形成装置から印刷指示することで印刷実行可能な印刷制御システムにおいて、蓄積されている印刷データから変換された画像データを、画像形成装置の蓄積用の領域に記憶させることで、プリンタドライバで生成された印刷データを画像形成装置で表示させることができる仕組みを提供することである。
【手続補正５】
【補正対象書類名】明細書
【補正対象項目名】０００９
【補正方法】変更
【補正の内容】
【０００９】
また、表示した印刷データに対応する画像データを画像形成装置に保持し、この表示した印刷データに対する印刷指示があった場合には、画像形成装置上に保持した画像データを用いて印刷を実行させることで、印刷効率を上げることができる仕組みを提供することである。
【手続補正６】
【補正対象書類名】明細書
【補正対象項目名】００１０
【補正方法】変更
【補正の内容】
【００１０】
本発明は、プリンタドライバで生成された印刷データを蓄積する蓄積用の情報処理装置と、前記印刷データの印刷データ識別情報を含む書誌情報を記憶し、画像形成装置からの要求に従って、要求のあった画像形成装置に当該書誌情報の一覧を送信する管理用の情報処理装置と、前記書誌情報の一覧からユーザが指定することによって当該指定された書誌情報に対応する印刷データを印刷する画像形成装置を含む印刷制御システムであって、前記管理用の情報処理装置は、前記画像形成装置に書誌情報の一覧を送信する書誌情報送信手段と、前記書誌情報送信手段で送信された書誌情報の一覧からユーザに指定された書誌情報の印刷データ識別情報を含む表示要求を前記画像形成装置から受信する表示要求受信手段と、前記表示要求受信手段で受信した表示要求に含まれる印刷データ識別情報に対応する印刷データの画像データを前記画像形成装置の蓄積用の領域に記憶させるべく、前記蓄積用の情報処理装置に前記印刷データ識別情報に対応する印刷データの出力指示する出力指示手段とを備え、前記蓄積用の情報処理装置は、前記印刷データ識別情報に対応する印刷データを用いて画像データに変換され、前記画像データが前記画像形成装置の蓄積用の領域に記憶されるように、前記出力指示に従って前記印刷データを出力する出力手段とを備え、前記画像形成装置は、前記書誌情報の一覧を受信する書誌情報受信手段と、前記書誌情報受信手段で受信した書誌情報の一覧からユーザに指定された書誌情報の印刷データ識別情報を含む表示要求を前記管理用の情報処理装置へ送信する表示要求送信手段と、前記表示要求送信手段で送信した表示要求に含まれる印刷データ識別情報に対応する印刷データであって、前記出力手段により出力された印刷データを用いて変換された画像データを当該画像形成装置の蓄積用の領域に記憶する記憶手段と、前記記憶手段で記憶した画像データを表示する表示手段とを備えることを特徴とする。
【手続補正７】
【補正対象書類名】明細書
【補正対象項目名】００１１
【補正方法】変更
【補正の内容】
【００１１】
本発明によれば、蓄積されているプリンタドライバで生成された印刷データを、画像形成装置から印刷指示することで印刷実行可能な印刷制御システムにおいて、蓄積されている印刷データから変換された画像データを、画像形成装置の蓄積用の領域に記憶させることで、プリンタドライバで生成された印刷データを画像形成装置で表示させて、内容を確認することができる。
【手続補正８】
【補正対象書類名】明細書
【補正対象項目名】００１２
【補正方法】変更
【補正の内容】
【００１２】
また、表示した印刷データに対応する画像データを画像形成装置に保持し、この表示した印刷データに対する印刷指示があった場合には、画像形成装置上に保持した画像データを用いて印刷を実行させることで、印刷効率を上げることができる。